(57)【要約】【課題】組立作業性を向上し、製造コストを低減することができるアクチュエータ、光ピックアップ、及びディスク装置を提供する。【解決手段】ディスク装置の光ピックアップが備えるアクチュエータは、可動部と、可動部を移動可能に支持する固定部と、を備える。可動部は、筐体部と、筐体部を挟んで対向する位置に設けられる同一仕様の複数の駆動基板と、を有する。各駆動基板は、可動部を駆動するための巻線部材と、巻線部材に電流を供給するための配線パターンと、を有する。配線パターンは、巻線部材を挟んで対向する位置に設けられる複数の電極と、巻線部材の一方端から分岐して複数の電極に接続される導電経路と、を含む。【選択図】図４
2015026405.tif 000002
【特許請求の範囲】
【請求項１】
可動部と、前記可動部を移動可能に支持する固定部と、を備え、
前記可動部は、筐体部と、前記筐体部を挟んで対向する位置に設けられる同一仕様の複数の駆動基板と、を有し、
各駆動基板は、前記可動部を駆動するための巻線部材と、前記巻線部材に電流を供給するための配線パターンと、を有し、
前記配線パターンは、前記巻線部材を挟んで対向する位置に設けられる複数の電極と、前記巻線部材の一方端から分岐して前記複数の電極に接続される導電経路と、を含むことを特徴とするアクチュエータ。
【請求項２】
前記可動部に電力を供給する給電部材をさらに備え、
前記筐体部に、各駆動基板間を電気的に接続する中継基板が設けられるとともに、前記給電部材と前記駆動基板との接触を防止するための接触防止部材が突設され、
前記接触防止部材の少なくとも一部が、前記中継基板に形成される開口を通じて、前記中継基板よりも前記側面の外側に突出することを特徴とする請求項１に記載のアクチュエータ。
【請求項３】
前記駆動基板は、紫外線の照射により硬化する接着材を用いて前記筐体部に設けられ、
前記筐体部には、前記筐体部の前記駆動基板が設けられる配設面及び該配設面の隣接面に開口する凹部が形成され、
前記凹部は、前記隣接面に対して傾斜する内壁を含む傾斜部を有し、
前記接着材が前記凹部に充填されることを特徴とする請求項１又は請求項２に記載のアクチュエータ。
【請求項４】
前記可動部は、各駆動基板間を電気的に接続する複数の中継基板をさらに有し、
各中継基板は、互いに面対称な形状であって、互いに異なる導電パターンを有することを特徴とする請求項１〜３のいずれかに記載のアクチュエータ。
【請求項５】
請求項１〜４のいずれかに記載のアクチュエータを備えることを特徴とする光ピックアップ。
【請求項６】
請求項５に記載の光ピックアップを備えることを特徴とするディスク装置。
【発明の詳細な説明】
【技術分野】
【０００１】
本発明は、アクチュエータにより対物レンズを駆動する光ピックアップを備えるディスク装置に関する。
【背景技術】
【０００２】
映像、音声又は情報を記録するディスク記録媒体としては、ＣＤ（Compact Disc）、ＤＶＤ（Digital Versatile Disc）、ＢＤ（Blu-ray（登録商標） Disc）などが知られている。これらのディスク記録媒体に対して情報の記録又は再生を行うディスク装置では、光ピックアップが、ディスク記録媒体の情報記録面に対してレーザ光を照射し、情報の記録を行う。また、光ピックアップは、ディスク記録媒体の情報記録面で反射したレーザ光を検出することにより情報の読出しを行う。このとき、光ピックアップは、トラッキング制御及びフォーカス制御などを行うために、アクチュエータにより対物レンズの位置を調整する。
【０００３】
たとえば、特許文献１のアクチュエータでは、トラッキング制御用コイル及びフォーカス制御用コイルが設けられた一対のプリントコイル基板が、対物レンズのレンズホルダの両側面に取り付けられている。このレンズホルダは、サスペンションにより、固定部に対して移動可能に支持されている。このサスペンションは、インサート成形によりレンズホルダと一体に成形された線状弾性部材であり、その一端は固定部に接続されている。
【先行技術文献】
【特許文献】
【０００４】
【特許文献１】特開２０１０−２５７５２０号公報
【発明の概要】
【発明が解決しようとする課題】
【０００５】
しかしながら、特許文献１のように、サスペンションをレンズホルダと一体にインサート成形すると、金型コストが高くなる。また、装置をリワークする際、アクチュエータの補修又は部材の交換がし難いために作業性が悪くなる。そのため、アクチュエータを新調する場合が多く、リワークの際に部品の損失が大きいという問題がある。
【０００６】
本発明は、上記の問題点に鑑み、組立作業性を向上し、製造コストを低減することができるアクチュエータ、光ピックアップ、及びディスク装置を提供することを目的とする。
【課題を解決するための手段】
【０００７】
上記目的を達成するために、本発明の一の局面によるアクチュエータは、可動部と、可動部を移動可能に支持する固定部と、を備え、可動部は、筐体部と、筐体部を挟んで対向する位置に設けられる同一仕様の複数の駆動基板と、を有し、各駆動基板は、可動部を駆動するための巻線部材と、巻線部材に電流を供給するための配線パターンと、を有し、配線パターンは、巻線部材を挟んで対向する位置に設けられる複数の電極と、巻線部材の一方端から分岐して複数の電極に接続される導電経路と、を含む。
【０００８】
この構成によれば、固定部により移動可能に支持される可動部に複数の駆動基板が設けられる。また、各駆動基板では、導電経路が、巻線部材の一方端から分岐し、巻線部材を挟んで対向する位置に設けられる複数の電極に接続される。そのため、複数の駆動基板を同一仕様とすることができる。従って、構成が簡易となり、組立作業性を向上させることができる。また、リワークの際、各部材の交換等が可能であるため、部品の損失を低減することができる。よって、組立作業性を向上し、製造コストを低減することができる。
【０００９】
上記構成において、可動部に電力を供給する給電部材をさらに備え、筐体部に、各駆動基板間を電気的に接続する中継基板が設けられるとともに、給電部材と駆動基板との接触を防止するための接触防止部材が突設され、接触防止部材の少なくとも一部が、中継基板に形成される開口を通じて、中継基板よりも側面の外側に突出してもよい。
【００１０】
この構成によれば、中継基板に妨げられることなく、給電部材の近傍に接触防止部材を突設することができる。そのため、給電部材を取り付ける際に、給電部材が駆動基板に接触して短絡することを防止することができる。さらに、中継基板の開口に接触防止部材を挿通することにより、筐体部に中継基板を設ける際に、中継基板を正確に位置決めすることができる。
【００１１】
また、上記構成において、駆動基板は、紫外線の照射により硬化する接着材を用いて筐体部に設けられ、筐体部には、筐体部の駆動基板が設けられる配設面及び該配設面の隣接面に開口する凹部が形成され、凹部は、隣接面に対して傾斜する内壁を含む傾斜部を有し、接着材が凹部に充填されてもよい。
【００１２】
この構成によれば、紫外線の照射により硬化する接着材を用いることにより、筐体部に駆動基板を容易に設けることができる。また、凹部が傾斜部を有することにより、凹部に接着材を流し込むとき、接着材を凹部の下側の先端にまで隙間なく充填し易くすることができる。
【００１３】
また、上記構成において、可動部は、各駆動基板間を電気的に接続する複数の中継基板をさらに有し、各中継基板は、互いに面対称な形状であって、互いに異なる導電パターンを有していてもよい。
【００１４】
この構成によれば、複数の中継基板の形状が互いに面対称であるので、各中継基板に同一形状の基体を用いることができる。従って、製造コストを低減することができる。
【００１５】
また、上記目的を達成するために、本発明の一の局面による光ピックアップは、上記のアクチュエータを備えることを特徴とする。
【００１６】
この構成によれば、固定部により移動可能に支持される可動部に複数の駆動基板が設けられる。また、各駆動基板では、導電経路が、巻線部材の一方端から分岐し、巻線部材を挟んで対向する位置に設けられる複数の電極に接続される。そのため、複数の駆動基板を同一仕様とすることができる。従って、構成が簡易となり、組立作業性を向上させることができる。また、リワークの際、各部材の交換等が可能であるため、部品の損失を低減することができる。よって、組立作業性を向上し、製造コストを低減することができる。
【００１７】
また、上記目的を達成するために、本発明の一の局面によるディスク装置は、上記の光ピックアップを備えることを特徴とする。
【００１８】
この構成によれば、固定部により移動可能に支持される可動部に複数の駆動基板が設けられる。また、各駆動基板では、導電経路が、巻線部材の一方端から分岐し、巻線部材を挟んで対向する位置に設けられる複数の電極に接続される。そのため、複数の駆動基板を同一仕様とすることができる。従って、構成が簡易となり、組立作業性を向上させることができる。また、リワークの際、各部材の交換等が可能であるため、部品の損失を低減することができる。よって、組立作業性を向上し、製造コストを低減することができる。
【発明の効果】
【００１９】
本発明によると、組立作業性を向上し、製造コストを低減することができるアクチュエータ、光ピックアップ、及びディスク装置を提供することができる。
【図面の簡単な説明】
【００２０】
【図１】本実施形態に係る光ディスク装置を搭載するＢＤレコーダの斜視図である。
【図２Ａ】本実施形態に係る光ディスク装置の上面図である。
【図２Ｂ】本実施形態に係る光ディスク装置の内部構造を示す上面図である。
【図３】本実施形態に係るレンズアクチュエータを示す斜視図である。
【図４】可動部の斜視図である。
【図５】可動部の構成を説明するための斜視展開図である。
【図６】サスペンションワイヤの端部近傍に突設されるワイヤストッパの一例を示す局所斜視図である。
【図７】プリントコイル基板が設けられたレンズホルダの上面図である。
【図８】溝部の形状を説明するための断面図である。
【図９】プリントコイル基板が設けられたレンズホルダを前側から見た側面図である。
【図１０】レンズホルダの前側に設けられたプリントコイル基板の着磁パターンを示す図である。
【図１１】プリントコイル基板の構成を説明するための分解斜視図である。
【図１２】プリントコイル基板の配線構造を示す図である。
【発明を実施するための形態】
【００２１】
以下に、本発明の実施形態について、光ディスク装置１を例に挙げて、図面を参照しながら説明する。なお、光ディスク装置１は、本発明のディスク装置の一例である。
【００２２】
図１は、本実施形態に係る光ディスク装置を搭載するＢＤレコーダの斜視図である。図１に示すように、光ディスク装置１は、ＢＤレコーダ１００に搭載されており、ディスクトレイ１ａに載置された光ディスクＤＣを内部に搬送（ローディング）し、光ディスクＤＣから情報の読み取りを行う。光ディスクＤＣは、たとえば、ＣＤ（Compact Disc）、ＤＶＤ（Digital Versatile Disc）、ＢＤ（Blu-ray Disc：登録商標）などの光ディスク記憶媒体である。
＜光ディスク装置の構成＞
【００２３】
図２Ａは、本実施形態に係る光ディスク装置の上面図である。図２Ｂは、本実施形態に係る光ディスク装置の内部構造を示す上面図である。図２Ａ及び図２Ｂに示すように、光ディスク装置１は、前述のディスクトレイ１ａと、光ピックアップ２と、を備えている。
【００２４】
光ピックアップ２は、レーザダイオード（不図示）と、対物レンズ３１を含む光学系（不図示）と、フォトダイオード（不図示）と、レンズアクチュエータ３と、を備えている。
【００２５】
レーザダイオードは、レーザ光を出力する半導体レーザ素子である。レーザダイオードは、たとえば、波長が６６１ｎｍのＤＶＤ用のレーザ光を出力する第１レーザダイオード（不図示）と、波長が４０５ｎｍのＢＤ用のレーザ光を出力する第２レーザダイオード（不図示）と、を含んで構成される。光学系は、レーザダイオードから出力されたレーザ光を光ディスクＤＣに導く光学素子群（対物レンズ３１を含む）で構成されている。光学系を経由したレーザ光は、対物レンズ３１により光ディスクＤＣの情報記録面に集光される。これにより光ディスクＤＣには、レーザ光による光スポットが形成される。集光したレーザ光は、この情報記録面にて反射されたのち、光学系を経由して、フォトダイオードに導かれる。フォトダイオードは、光ディスクＤＣにて反射されたレーザ光（反射光）を受光して光電変換し、受光した反射光の強さに応じた電気信号を生成する。この電気信号は、反射光の強さを反映しており、光ディスクＤＣに記録された情報を含んでいる。
【００２６】
また、光学系と光ディスクＤＣとの間には、レンズアクチュエータ３が設けられている。レンズアクチュエータ３は、２個の対物レンズ３１（たとえば、後述するＤＶＤレンズ３１ａ及びＢＤレンズ３１ｂ）を搭載しており、この対物レンズ３１の位置を調節することが可能である。
＜レンズアクチュエータの構成＞
【００２７】
次に、レンズアクチュエータ３の具体的な構成を説明する。図３は、本実施形態に係るレンズアクチュエータを示す斜視図である。
【００２８】
なお、図３において、Ｘ方向は光ディスクＤＣのラジアル方向に対応し、Ｙ方向は光ディスクＤＣのタンジェンシャル方向に対応している。また、Ｚ方向は鉛直方向と略平行である。Ｘ方向、Ｙ方向、及びＺ方向はそれぞれ直交している。また、以下では、Ｘ方向の一方側（たとえば図３の右下に向かう方向の側）を右と呼び、Ｘ方向の他方側（たとえば図３の左上に向かう方向の側）を左と呼ぶ。また、Ｙ方向の一方側（たとえば図３の右上に向かう方向の側）を前と呼び、Ｙ方向の他方側（たとえば図３の左下に向かう方向の側）を後と呼ぶ。また、Ｚ方向の一方側（たとえば図３の上に向かう方向の側）を上と呼び、Ｚ方向の他方側（たとえば図３の下に向かう方向の側）を下と呼ぶ。これらの対応関係は、後述する図４〜１１にも同様に適用される。
【００２９】
図３に示すように、レンズアクチュエータ３は、固定部３ａと、プリント基板３ｂと、サスペンションワイヤ３ｃと、可動部３ｄと、を含んで構成されている。
【００３０】
固定部３ａは、可動部３ｄを移動可能に支持しており、可動部３ｄを移動させるためのマグネットなどを有している。プリント基板３ｂは、光ピックアップ２全体を制御する制御部（不図示）から信号（たとえば制御信号）が入力され、レンズアクチュエータ３の駆動制御を行うための制御回路部である。プリント基板３ｂは、たとえば接着材、半田、又はねじ止めなどにより固定部３ａの後側の側面に設けられている。
【００３１】
サスペンションワイヤ３ｃは、可動部３ｄを支持する線状の給電部材であり、レンズアクチュエータ３のＸ方向の左右両側に複数設けられている。各サスペンションワイヤ３ｃの一端は固定部３ａに固定されている。また、その他端は、後述するワイヤ支持部３２１の精度孔３２１ａを経由して、可動部３ｄの後述する中継基板３４に半田付けされている。また、サスペンションワイヤ３ｃは、たとえば金属材料などの導電性材料を用いて形成されており、固定部３ａに設けられた給電部（不図示）から伝送される電力を可動部３ｄに供給する。なお、この電力は、中継基板３４を介して、後述する可動部３ｄのプリントコイル基板３５に供給される。
【００３２】
次に、可動部３ｄの構成について説明する。図４は、可動部の斜視図である。なお、図４では、可動部３ｄの構成を理解し易くするために、サスペンションワイヤ３ｃの一部を省略して図示している。また、図５は、可動部の構成を説明するための斜視展開図である。図４及び図５に示すように、可動部３ｄは、２個の対物レンズ３１と、レンズホルダ３２と、レンズプロテクタ３３と、一対の中継基板３４と、一対のプリントコイル基板３５（駆動基板）と、を含んで構成されている。
【００３３】
レンズホルダ３２は２個の対物レンズ３１の保持部材として用いられる筐体部である。２個の対物レンズ３１は、たとえばＤＶＤレンズ３１ａ及びＢＤレンズ３１ｂであり、Ｙ方向に並んで配置されている。また、２個の対物レンズ３１の間には、レンズプロテクタ３３が設けられている。
【００３４】
Ｘ方向におけるレンズホルダ３２の両側面には、たとえば接着材、半田、又はねじ止めなどにより、一対の中継基板３４が設けられている。一対の中継基板３４には、形状が左右対称（面対称）で材質が同一の樹脂基板が用いられている。各中継基板３４には、たとえばＰＣＢなどの樹脂材料を用いて形成された樹脂基板の主面に、互いに異なる導電パターンが形成されている。この導電パターンは、サスペンションワイヤ３ｃの端部近傍が半田を用いて電気的に接続される電極と、一対のプリントコイル基板３５と電気的に接続される電極と、各電極間を電気的に接続する導電経路と、を含んで構成されている。各中継基板３４の導電パターンを介して、一対のプリントコイル基板３５が電気的に接続されるとともに、サスペンションワイヤ３ｃから伝送される電力が一対のプリントコイル基板３５に供給される。また、中継基板３４には、後述するワイヤストッパ３２２が挿通される開口３４１が形成されている。
【００３５】
また、Ｘ方向におけるレンズホルダ３２の両側面には、ワイヤ支持部３２１とワイヤストッパ３２２とが突設されている。ワイヤ支持部３２１には、可動部３ｄ（特に中継基板３４）に対するサスペンションワイヤ３ｃの取り付け位置を精度良く規制するための精度孔３２１ａが形成されている。この精度孔３２１ａにサスペンションワイヤ３ｃを挿通することにより、サスペンションワイヤ３ｃを中継基板３４の所定の位置に取り付ける際、取り付け位置のズレを抑制することができる。
【００３６】
ワイヤストッパ３２２は、サスペンションワイヤ３ｃの端部とプリントコイル基板３５との接触を防止するための接触防止部材であり、サスペンションワイヤ３ｃの端部の先端近傍に突設されている。図６は、サスペンションワイヤの端部近傍に突設されるワイヤストッパの一例を示す局所斜視図である。図６に示すように、ワイヤストッパ３２２の一部は、中継基板３４に形成された開口３４１を通じて、中継基板３４よりも、レンズホルダ３２のＸ方向の側面の外側に突出している。こうすれば、中継基板３４に妨げられることなく、サスペンションワイヤ３ｃの端部近傍にワイヤストッパ３２２を突設することができる。そのため、サスペンションワイヤ３ｃを取り付ける際に、サスペンションワイヤ３ｃがプリントコイル基板３５に接触して短絡することを防止することができる。よって、レンズアクチュエータ３の組み立て工程（特にサスペンションワイヤ３ｃの半田付け工程）での、半田ショートを防止することができる。さらに、中継基板３４の開口３４１にワイヤストッパ３２２を挿通することにより、レンズホルダ３２に中継基板３４を設ける際に、中継基板３４を正確に位置決めすることができる。
【００３７】
また、Ｙ方向（所定方向）におけるレンズホルダ３２の両側面（両端面）には、たとえばＵＶ硬化剤３２４を用いて、一対のプリントコイル基板３５が設けられている（図４参照）。ＵＶ硬化剤３２４は、紫外線の照射により硬化する接着材である。紫外線の照射により硬化するＵＶ硬化剤３２４を用いることにより、レンズホルダ３２にプリントコイル基板３５を容易に設けることができる。
【００３８】
図７は、プリントコイル基板が設けられたレンズホルダの上面図である。図７に示すように、レンズホルダ３２のＹ方向の両側面（両端面）には、それぞれ、溝部３２３が２個ずつ形成されている。これらの溝部３２３は、レンズホルダ３２にプリントコイル基板３５を固定するためのＵＶ硬化剤３２４が充填される凹部であり、レンズホルダ３２の前側及び後側の各側面においてＸ方向の両端近傍に形成されている。
【００３９】
図８は、溝部の形状を説明するための断面図である。なお、図８は、図７の一点鎖線Ａ−Ａに沿う溝部３２３の断面を示している。図８に示すように、溝部３２３は、レンズホルダ３２のＹ方向の端面（側面）、及びこの端面の隣接面（Ｚ方向の上面）に開口している。また、溝部３２３は、第１及び第２平坦部３２３ａ、３２３ｂと、第１及び第２平坦部３２３ａ、３２３ｂの間に設けられる傾斜部３２３ｃとを含んで構成されている。第１及び第２平坦部３２３ａ、３２３ｂは、Ｘ方向及びＺ方向と略平行な内壁を有している。また、Ｙ方向において、第１平坦部３２３ａの深さ（レンズホルダ３２の端面と内壁との間の距離）は第２平坦部３２３ｂの深さよりも大きくなっている。また、傾斜部３２３ｃは、レンズホルダ３２の上面、及び第１及び第２平坦部３２３ａ、３２３ｂの各内壁に対して傾斜する内壁を有している。傾斜部３２３ｃの内壁は、第１及び第２平坦部３２３ａ、３２３ｂの各内壁と連続的に接続されている。
【００４０】
図８のように、溝部３２３が傾斜部３２３ｃを有することにより、レンズホルダ３２のＹ方向の側面にプリントコイル基板３５の主面を当接した状態で上面側から、溝部３２３にＵＶ硬化剤３２４を流し込むとき、ＵＶ硬化剤３２４を溝部３２３の下側の先端にまで隙間なく充填し易くすることができる。
【００４１】
次に、プリントコイル基板３５について説明する。図９は、プリントコイル基板が設けられたレンズホルダを前側から見た側面図である。また、図１０は、レンズホルダの前側に設けられたプリントコイル基板の着磁パターンを示す図である。一対のプリントコイル基板３５は、仕様（たとえば、構造、材質、形状、及び配線パターンなど）が同一の部材である。また、各プリントコイル基板３５は、１個のトラッキング制御用コイル３５３と、その両側に配置される２個のフォーカス制御用コイル３５４とを有する。トラッキング制御用コイル３５３はトラッキング制御を行うためのコイル部材であり、フォーカス制御用コイル３５４はフォーカス制御を行うためのコイル部材である。これらのコイル部材３５３、３５４（巻線部材）は、中継基板３４から供給される電力により駆動され、たとえば図１０のような着磁パターンを示す。
【００４２】
図１１は、プリントコイル基板の構成を説明するための分解斜視図である。また、図１２は、プリントコイル基板の配線構造を示す図である。各プリントコイル基板３５は、図１１に示すように、接着材等を用いて貼り合わせた第１及び第２コイル基板３５１、３５２を含んで構成される。なお、各プリントコイル基板３５を構成するコイル基板は、図１１の例に限定されず、１個であってもよいが、複数（たとえば２〜４個）であることが望ましい。プリントコイル基板３５を複数のコイル基板で構成すれば、プリントコイル基板３５の感度が向上するため、レンズアクチュエータ３を精度よく駆動させることができる。
【００４３】
各プリントコイル基板３５において、図１１及び図１２に示すように、第１コイル基板３５１では、樹脂基板に、第１トラッキングコイルパターン３５３ａと、第１及び第２フォーカスコイルパターン３５４ａ、３５４ｂと、ビアホールＢ１〜Ｂ６と、配線パターンと、が形成されている。なお、樹脂基板はたとえばＰＣＢなどの樹脂材料を用いて形成されている。また、第１コイル基板３５１の配線パターンは、第１〜第３トラッキング電極Ｔｒ１〜Ｔｒ３と、第１〜第４フォーカス電極Ｆ１〜Ｆ４と、ビアホールＢ１〜Ｂ６の内側に形成された導電経路と、を含んでいる。
【００４４】
また、第２コイル基板３５２では、樹脂基板に、第２トラッキングコイルパターン３５３ｂと、第３及び第４フォーカスコイルパターン３５４ｃ、３５４ｄと、ビアホールＢ７〜Ｂ１２と、配線パターンと、が形成されている。なお、たとえばＰＣＢなどの樹脂材料を用いて形成されている。また、第２コイル基板３５２の配線パターンは、ビアホールＢ７〜Ｂ１２の内側に形成された導電経路を含んでいる。
【００４５】
第１及び第２コイル基板３５１、３５２には、形状及び材質が同一の樹脂基板が用いられている。また、各プリントコイル基板３５において、第１及び第２トラッキングコイルパターン３５３ａ、３５３ｂがトラッキング制御用コイル３５３を構成している。また、第１及び第３フォーカスコイルパターン３５４ａ、３５４ｃが２個のフォーカス制御用コイル３５４のうちの一方を構成している。また、第２及び第４フォーカスコイルパターン３５４ｂ、３５４ｄが２個のフォーカス制御用コイル３５４のうちの他方を構成している。なお、図１１及び図１２では、第１及び第２トラッキングコイルパターン３５３ａ、３５３ｂと、第１〜第４フォーカスコイルパターン３５４ａ〜３５４ｄとが、コイル状の平面的な配線パターンにより形成されたコイル部材となっている。これらのコイル部材は、図１１及び図１２に限定されず、たとえば螺旋状に巻いた導体線で形成されるコイル素子であってもよい。
【００４６】
また、図１２に示すように、各プリントコイル基板３５において、第１トラッキング電極Ｔｒ１は、ビアホールＢ１及びＢ７を経由する配線パターンを介して、第２トラッキングコイルパターン３５３ｂの一方の端部と電気的に接続されている。第２トラッキングコイルパターン３５３ｂの他方の端部は、ビアホールＢ８及びＢ２を経由する配線パターンを介して、第１トラッキングコイルパターン３５３ａの一方の端部と電気的に接続されている。第１トラッキングコイルパターン３５３ａの他方の端部は、分岐点Ｐにおいて二股に分岐する配線パターンを介して、第２及び第３トラッキング電極Ｔｒ２、Ｔｒ３と電気的に接続されている。
【００４７】
また、各プリントコイル基板３５において、第１フォーカス電極Ｆ１は、第１フォーカスコイルパターン３５４ａの一方の端部と電気的に接続されている。第１フォーカスコイルパターン３５４ａの他方の端部は、ビアホールＢ３及びＢ９を経由する配線パターンを介して、第３フォーカスコイルパターン３５４ｃの一方の端部と電気的に接続されている。第３フォーカスコイルパターン３５４ｃの他方の端部は、ビアホールＢ１０及びＢ４を経由する配線パターンを介して、第２フォーカス電極Ｆ２と電気的に接続されている。
【００４８】
また、各プリントコイル基板３５において、第３フォーカス電極Ｆ３は、ビアホールＢ５及びＢ１１を経由する配線パターンを介して、第４フォーカスコイルパターン３５４ｄの一方の端部と電気的に接続されている。第４フォーカスコイルパターン３５４ｄの他方の端部は、ビアホールＢ１２及びＢ６を経由する配線パターンを介して、第２フォーカスコイルパターン３５４ｂの一方の端部と電気的に接続されている。第２フォーカスコイルパターン３５４ｂの他方の端部は第４フォーカス電極Ｆ４と電気的に接続されている。
【００４９】
次に、各プリントコイル基板３５間の配線構造について、図１２を参照して説明する。まず、各プリントコイル基板３５のトラッキング制御用コイル３５３を駆動するための配線構造について説明する。なお、以下では、レンズホルダ３２の前側に設けられるプリントコイル基板３５を第１プリントコイル基板３５ａと呼び、後側に設けられるに設けられるプリントコイル基板３５を第２プリントコイル基板３５ｂと呼ぶ。また、レンズホルダ３２の左側に設けられる中継基板３４を第１中継基板３４ａと呼び、右側に設けられるに設けられる中継基板３４を第２中継基板３４ｂと呼ぶ（図５参照）。
【００５０】
第１プリントコイル基板３５ａの第１トラッキング電極Ｔｒ１は、第１中継基板３４ａの導電パターンを介して、サスペンションワイヤ３ｃと電気的に接続されている。第１プリントコイル基板３５ａの第２トラッキング電極Ｔｒ２は、第１中継基板３４ａの導電パターンを介して、第２プリントコイル基板３５ｂの第３トラッキング電極Ｔｒ３と電気的に接続されている。第２プリントコイル基板３５ｂの第１トラッキング電極Ｔｒ１は、レンズホルダ３２の右側の第２中継基板３４ｂの導電パターンを介して、サスペンションワイヤ３ｃと電気的に接続されている。このような配線構造により、各プリントコイル基板３５のトラッキング制御用コイル３５３は、給電部（不図示）からサスペンションワイヤ３ｃ及び中継基板３４を介して供給される電力により駆動される。
【００５１】
次に、各プリントコイル基板３５のフォーカス制御用コイル３５４を駆動するための配線構造について説明する。第１プリントコイル基板３５ａの第１フォーカス電極Ｆ１は、第１中継基板３４ａの導電パターンを介して、サスペンションワイヤ３ｃと電気的に接続されている。第１プリントコイル基板３５ａの第２フォーカス電極Ｆ２は、第１中継基板３４ａの導電パターンを介して、第２プリントコイル基板３５ｂの第３フォーカス電極Ｆ３と電気的に接続されている。第２プリントコイル基板３５ｂの第４フォーカス電極Ｆ４は、第１中継基板３４ａの導電パターンを介して、サスペンションワイヤ３ｃと電気的に接続されている。このような配線構造により、各プリントコイル基板３５における２個のフォーカス制御用コイル３５４のうちの一方（第１プリントコイル基板３５ａにおける第１及び第３フォーカスコイルパターン３５４ａ、３５４ｃで構成されるフォーカス制御用コイル３５４、及び、第２プリントコイル基板３５ｂにおける第２及び第４フォーカスコイルパターン３５４ｂ、３５４ｄで構成されるフォーカス制御用コイル３５４）は、給電部（不図示）からサスペンションワイヤ３ｃ及び中継基板３４を介して供給される電力により駆動される。
【００５２】
また、第２プリントコイル基板３５ｂの第１フォーカス電極Ｆ１は、レンズホルダ３２の右側の第２中継基板３４ｂの導電パターンを介して、サスペンションワイヤ３ｃと電気的に接続されている。第２プリントコイル基板３５ｂの第２フォーカス電極Ｆ２は、第２中継基板３４ｂの導電パターンを介して、第１プリントコイル基板３５ａの第３フォーカス電極Ｆ３と電気的に接続されている。第１プリントコイル基板３５ａの第４フォーカス電極Ｆ４は、第２中継基板３４ｂの導電パターンを介して、サスペンションワイヤ３ｃと電気的に接続されている。このような配線構造により、各プリントコイル基板３５における２個のフォーカス制御用コイル３５４のうちの他方（第１プリントコイル基板３５ａにおける第２及び第４フォーカスコイルパターン３５４ｂ、３５４ｄで構成されるフォーカス制御用コイル３５４、及び、第２プリントコイル基板３５ｂにおける第１及び第３フォーカスコイルパターン３５４ａ、３５４ｃで構成されるフォーカス制御用コイル３５４）は、給電部（不図示）からサスペンションワイヤ３ｃ及び中継基板３４を介して供給される電力により駆動される。
【００５３】
このように、本実施形態に係る光ディスク装置１の光ピックアップ２が備えるレンズアクチュエータ３は、可動部３ｄと、可動部３ｄを移動可能に支持する固定部３ａと、を備える。可動部３ｄは、レンズホルダ３２と、レンズホルダ３２を挟んで対向する位置に設けられる同一仕様の複数のプリントコイル基板３５と、を有する。各プリントコイル基板３５は、可動部３ｄを駆動するためのコイル部材と、コイル部材に電流（電力）を供給するための配線パターンと、を有する。（なお、コイル部材は、たとえば、第１及び第２トラッキングコイルパターン３５３ａ、３５３ｂで構成されるトラッキング制御用コイル３５３、第１〜第４フォーカスコイルパターン３５４ａ〜３５４ｄで構成される２個のフォーカス制御用コイル３５４である。）配線パターンは、第１トラッキングコイルパターン３５３ａを挟んで対向する位置に設けられる複数のトラッキング電極Ｔｒ２、Ｔｒ３と、第１トラッキングコイルパターン３５３ａの一方端から分岐して複数のトラッキング電極Ｔｒ２、Ｔｒ３に接続される導電経路と、を含む。
【００５４】
こうすれば、固定部３ａにより移動可能に支持される可動部３ｄに複数のプリントコイル基板３５が設けられる。また、各プリントコイル基板３５では、導電経路が、第１トラッキングコイルパターン３５３ａの一方端から分岐し、第１トラッキングコイルパターン３５３ａを挟んで対向する位置に設けられる複数のトラッキング電極Ｔｒ２、Ｔｒ３に接続される。そのため、複数のプリントコイル基板３５を同一仕様とすることができる。従って、構成が簡易となり、組立作業性を向上させることができる。また、リワーク（たとえば部材の再利用）の際、各部材の交換等が可能であるため、部品の損失を低減することができる。よって、組立作業性を向上し、製造コストを低減することができる。
【００５５】
また、本実施形態のレンズアクチュエータ３は、可動部３ｄに電力を供給するサスペンションワイヤ３ｃをさらに備える。レンズホルダ３２には、各プリントコイル基板３５間を電気的に接続する中継基板３４が設けられるとともに、サスペンションワイヤ３ｃとプリントコイル基板３５との接触を防止するためのワイヤストッパ３２２が突設される。また、ワイヤストッパ３２２の少なくとも一部が、中継基板３４に形成される開口３４１を通じて、中継基板３４よりも側面の外側に突出している。
【００５６】
こうすれば、中継基板３４に妨げられることなく、サスペンションワイヤ３ｃの近傍にワイヤストッパ３２２を突設することができる。そのため、サスペンションワイヤ３ｃを取り付ける際に、サスペンションワイヤ３ｃがプリントコイル基板３５に接触して短絡することを防止することができる。さらに、中継基板３４の開口３４１にワイヤストッパ３２２を挿通することにより、レンズホルダ３２に中継基板３４を設ける際に、中継基板３４を正確に位置決めすることができる。
【００５７】
また、本実施形態のレンズアクチュエータ３では、プリントコイル基板３５は、紫外線の照射により硬化するＵＶ硬化剤３２４を用いてレンズホルダ３２に設けられる。レンズホルダ３２には、レンズホルダ３２のプリントコイル基板３５が設けられる配設面及び該配設面の隣接面に開口する溝部３２３が形成される。溝部３２３は、隣接面に対して傾斜する内壁を含む傾斜部３２３ｃを有している。ＵＶ硬化剤３２４はこの溝部３２３に充填される。
【００５８】
この構成によれば、紫外線の照射により硬化するＵＶ硬化剤３２４を用いることにより、レンズホルダ３２にプリントコイル基板３５を容易に設けることができる。また、溝部３２３が傾斜部３２３ｃを有することにより、溝部３２３にＵＶ硬化剤３２４を流し込むとき、ＵＶ硬化剤３２４を溝部３２３の下側の先端にまで隙間なく充填し易くすることができる。
【００５９】
また、本実施形態のレンズアクチュエータ３では、可動部３ｄは、各プリントコイル基板３５間を電気的に接続する一対の中継基板３４をさらに有し、各中継基板３４は、互いに面対称な形状であって、互いに異なる導電パターンを有している。
【００６０】
この構成によれば、一対の中継基板３４の形状が互いに面対称であるので、各中継基板３４に同一形状の基体を用いることができる。従って、製造コストを低減することができる。
【００６１】
以上、本発明について実施形態をもとに説明した。なお、上述の実施形態では、光ディスクＤＣに対して情報の読み取りを行う光ディスク装置１を挙げて説明しているが、本発明の適用範囲はこの例に限定されない。光ディスク装置１は、ディスク記録媒体に対して情報の読み出し及び書き込みのうちの少なくとも一方を行うディスク装置であればよい。たとえば、光ディスク装置１は、ＢＤプレイヤ、ＤＶＤプレイヤ、ＤＶＤレコーダ、パーソナルコンピュータなどに搭載されるディスク装置であってもよい。
【００６２】
また、上述の実施形態では、光ディスク装置１はＢＤレコーダ１００に搭載されているが、本発明の適用範囲はこの例に限定されない。光ディスク装置１は、ディスク記録媒体に記録された情報の再生、及び／又は、ディスク記録媒体に情報を記録する電子機器であってもよい。たとえば、光ディスク装置１は、ＢＤプレイヤ、ＢＤレコーダ、ＤＶＤプレイヤ、ＤＶＤレコーダなどであってもよい。
【００６３】
また、上述の実施形態では、レンズホルダ３２が２個の対物レンズ３１を保持しているが、本発明の適用範囲はこの例に限定されない。レンズホルダ３２は、１以上の対物レンズ３１を保持していればよい。また、各対物レンズ３１は、光ピックアップ２が備えるレーザダイオードの構成に応じたものを用いることができる。また、複数の対物レンズ３１が並べて配置される方向も特に限定しない。たとえば、上述の実施形態において、複数の対物レンズ３１はＸ方向に並べて配置されていてもよい。
【００６４】
また、上述の実施形態では、たとえば図３のように１対（言い換えると２個）のプリントコイル基板３５がレンズホルダ３２のＹ方向の両端面に設けられるが、本発明の適用範囲はこの例示に限定されない。少なくともレンズホルダ３２のＹ方向の両端面に設けられていれば、プリントコイル基板３５は複数（たとえば３個以上）であってもよい。さらに、上述の実施形態では、１対（言い換えると２個）の中継基板３４がレンズホルダ３２のＸ方向の両端面に設けられるが、本発明の適用範囲はこの例示に限定されない。プリントコイル基板３５の数に応じて、中継基板３４も複数（たとえば３個以上）であってもよい。
【００６５】
また、上述の実施形態では、一対の中継基板３４に左右対称（面対称）な形状の樹脂基板（すなわち基体）が用いられているが、本発明の適用範囲はこの例示に限定されない。各中継基板３４の樹脂基板（すなわち基体）は同一形状であってもよい。
【００６６】
また、上述の実施形態では、ワイヤストッパ３２２の一部が開口３４１を通じて中継基板３４よりもレンズホルダ３２のＸ方向の側面の外側に突出しているが、本発明の適用範囲はこの例に限定されない。全てのワイヤストッパ３２２は、開口３４１を通じて中継基板３４よりもレンズホルダ３２のＸ方向の側面の外側に突出していてもよい。
【００６７】
また、本発明の構成は、上述の実施形態のほか、発明の趣旨を逸脱しない範囲で種々の変更を加えることが可能である。すなわち、上述の実施形態は、全ての点で例示であって、制限的なものではないと考えられるべきである。本発明の技術的範囲は、上述の実施形態の説明ではなく、特許請求の範囲によって示されるものであり、特許請求の範囲と均等の意味及び範囲内に属する全ての変更が含まれると理解されるべきである。
【符号の説明】
【００６８】
１００    ＢＤレコーダ
１        光ディスク装置
１ａ        ディスクトレイ
２          光ピックアップ
３            レンズアクチュエータ（アクチュエータ）
３ａ            固定部
３ｂ            プリント基板
３ｃ            サスペンションワイヤ（給電部材）
３ｄ            可動部
３１              対物レンズ
３１ａ              ＤＶＤレンズ
３１ｂ              ＢＤレンズ
３２              レンズホルダ（筐体部）
３２１              ワイヤ支持部
３２１ａ              精度孔
３２２              ワイヤストッパ（接触防止部材）
３２３              溝部（凹部）
３２３ａ              第１平坦部
３２３ｂ              第２平坦部
３２３ｃ              傾斜部
３２４              ＵＶ硬化剤（接着材）
３３              レンズプロテクタ
３４              中継基板
３４１              開口
３５              プリントコイル基板（駆動基板）
３５１              第１コイル基板
３５２              第２コイル基板
３５３              トラッキング制御用コイル（巻線部材の一部）
３５３ａ、３５３ｂ    第１、第２トラッキングコイルパターン
３５４              フォーカス制御用コイル（巻線部材の一部）
３５４ａ〜３５４ｄ    第１〜第４フォーカスコイルパターン
ＤＣ                光ディスク
Ｔｒ１〜Ｔｒ３      トラッキング電極
Ｆ１〜Ｆ４          フォーカス電極
Ｐ                  分岐点
Ｂ１〜Ｂ１２        ビアホール
【図１】
2015026405.tif 000003
【図２Ａ】
2015026405.tif 000004
【図２Ｂ】
2015026405.tif 000005
【図３】
2015026405.tif 000006
【図４】
2015026405.tif 000007
【図５】
2015026405.tif 000008
【図６】
2015026405.tif 000009
【図７】
2015026405.tif 000010
【図８】
2015026405.tif 000011
【図９】
2015026405.tif 000012
【図１０】
2015026405.tif 000013
【図１１】
2015026405.tif 000014
【図１２】
2015026405.tif 000015